(57)【要約】【課題】球詰まりの解消と球の円滑な払い出しとを図る。【解決手段】払出機構３の配置される払出配置部分の前壁から後方への寸法である前後幅をＬ１とし、球切検出機構５の配置される球検出配置部分の前壁から後方への寸法である前後幅をＬ２とし、それ以外の部分の前壁から後方への寸法である前後幅をＬ３とすると、タンク２の球貯蔵室がＬ１＜Ｌ２＜Ｌ３に構成されたことによって、タンク２の球貯蔵室の前後幅が払出機構３の球入口７に向けて絞られたので、タンク２の底面６を流下する球が多量に球入口７に集中することがなく、タンク２の底面６を流下する球の量が球入口７に向けて徐々に減少し、払出体１１に負担がかかり過ぎることがなく、球詰まりも発生しにくく、払出体１１が球を円滑に払い出すことができる。【選択図】図１
2008200094.tif 000002
【特許請求の範囲】
【請求項１】
タンクの底部に払出機構を備え、タンクの底面が球を払出機構の球入口に向けて流下させる斜面を構成した遊技機の球払出装置において、タンクの球を貯蔵する球貯蔵室の前後幅が払出機構の球入口に向けて絞られたことを特徴とする遊技機の球払出装置。
【請求項２】
請求項１記載の払出機構が球を１個ずつ前後方向に分離するように収容部に配置された螺旋構造の払出体と払出体を駆動するようにタンクの球貯蔵室の外側で後壁に固定された払出モータとを備えたことを特徴とする遊技機の球払出装置。
【請求項３】
請求項１記載のタンクの球貯蔵室を上から見た場合に、球貯蔵室の前後幅が払出機構の球入口に向けて階段状に絞られ、前後幅の最も小さな部分には払出機構が配置され、最も小さな部分よりも大きな前後幅の部分には球切検出機構が配置されたことを特徴とする遊技機の球払出装置。
【請求項４】
請求項３記載の球切検出機構の感知レバーが球貯蔵室に配置された部分に突起を備えたことを特徴とする遊技機の球払出装置。
【発明の詳細な説明】
【技術分野】
【０００１】
本発明は、球詰まりが発生しにくく、球が円滑に払い出される遊技機の球払出装置に関する。
【背景技術】
【０００２】
球を遊技媒体として使用するパチンコ遊技機などの遊技機では、賞球または貸球などとしての球を遊技機の前部の受皿に払い出す球払出装置が知られている。図１１は、特許文献１で開示された球払出装置を示す。図１１において、タンク２の底部には、球入口７と収容部８および庇１０が設けられる。収容部８の底部には、球出口９が設けられる。収容部８には、螺旋構造の払出体１１が収容される。タンク２の外面には、払出モータ１２が固定される。払出モータ１２の出力軸が払出体１１に連結される。そして、払出体１１が払出モータ１２によって一方向に回転されると、球が矢印Ｘ２で示すようにタンク２から球入口７と収容部８および球出口９を経由して払い出される。しかしながら、タンク２から球入口７に多量の球が集中し、払出体１１に負担がかかり過ぎ、球詰まりを発生しやすいという欠点がある。
【特許文献１】特開平８−１０４１５号公報
【発明の開示】
【発明が解決しようとする課題】
【０００３】
発明が解決しようとする問題点は、球詰まりを発生しやすいという点である。
【課題を解決するための手段】
【０００４】
本発明に係る遊技機の球払出装置は、タンクの底部に払出機構を備え、上記底部の球の接触する底面が球を払出機構の球入口に向けて流下させる斜面を構成した遊技機の球払出装置において、タンクの球を貯蔵する球貯蔵室の前後幅が払出機構の球入口に向けて絞られたことを最も主要な特徴とする。払出機構が球を１個ずつ前後方向に分離するように収容部に配置された螺旋構造の払出体と払出体を駆動するようにタンクの球貯蔵室の外側で後壁に固定された払出モータとを備えたか、または、タンクの球貯蔵室を上から見た場合に、球貯蔵室の前後幅が払出機構の球入口に向けて階段状に絞られ、前後幅の最も小さな部分には払出機構が配置され、最も小さな部分よりも大きな前後幅の部分には球切検出機構が配置されたか、または、球切検出機構の感知レバーが球貯蔵室に配置された部分に突起を備えてもよい。
【発明の効果】
【０００５】
本発明に係る遊技機の球払出装置は、タンクの球貯蔵室の前後幅が払出機構の球入口に向けて絞られたので、底面を流下する球が多量に球入口に集中することがなく、底面を流下する球の量が球入口に向けて徐々に減少し、払出機構に負担がかかり過ぎることがなく、球詰まりも発生しにくく、払出機構が球を円滑に払い出すことができるという利点がある。払出機構が球を１個ずつ前後方向に分離するように収容部に配置された螺旋構造の払出体と払出体を駆動するようにタンクの球貯蔵室の外側で後壁に固定された払出モータとを備えれば、払出モータがタンクよりも後方に突出しないようにタンクに取り付けられるかまたは払出モータがタンクよりも後方に突出する寸法を減少するようにタンクに取り付けられるという利点がある。タンクの球貯蔵室を上から見た場合に、球貯蔵室の前後幅が払出機構の球入口に向けて階段状に絞られ、前後幅の最も小さな部分には払出機構が配置され、最も小さな部分よりも大きな前後幅の部分には球切検出機構が配置されれば、球切検出機構がタンクよりも後方に突出しないようにタンクに取り付けられるかまたは球切検出機構がタンクよりも後方に突出する寸法を減少するようにタンクに取り付けられるという利点がある。球切検出機構の感知レバーが球貯蔵室に配置された部分に突起を備えれば、突起がタンクの底面から球受部の上に到達した球を球受部に留め置くことなく球入口の方に良好に誘導するという利点がある。
【発明を実施するための最良の形態】
【０００６】
図１乃至図９は、発明を実施するための最良の形態である。図１は、遊技機の球払出装置１の平面を示す。図２は、球切検出機構５を分解して示す。図３は、タンク２と球切検出機構５とを分解して示す。図４は、球切検出機構５の取り付けられたタンク２を示す。図５はタンク２における球切検出機構５の周りを示す。図６は、球からの力が作用していない場合における球切検出機構５の動作を示す。図７は、球から錘３５の重さよりも大きい力が作用している場合における球切検出機構５の動作を示す。図８は、球払出装置１を搭載したパチンコ遊技機を示す。図９は、球払出装置１を搭載したパチンコ遊技機の背面を示す。本明細書において、「前」、「後」、「左」、「右」、「上」、「下」の方向は、図８の状態に遊技機枠を置いて矢印Ｓで示す前側から見た場合に特定される方向である。
【０００７】
図１を参照し、遊技機の球払出装置１について説明する。図１のａ図において、球払出装置１は、タンク２に払出機構３、抜取機構４、球切検出機構５などを備える。そして、抜取機構４が人による閉操作でタンク２の底部を閉鎖し、払出機構３が停止した状態において、遊技機設置構造体の補給機構から排出されたパチンコ球と呼ばれる球がタンク２の上方からタンク２の内部に入れられてタンク２に貯蔵される。球がタンク２に貯蔵された状態において、払出機構３が駆動すると、球がタンク２から下方外部に払い出され、あるいは、抜取機構４が人による開操作でタンク２の底部を開放すると、球がタンク２から下方外部に抜き取られる。
【０００８】
タンク２は、上方に開口した箱形の球貯蔵室を内部に構成する。タンク２の球貯蔵室は、払出機構３の配置される払出配置部分の前壁から後方への寸法である前後幅をＬ１とし、球切検出機構５の配置される球検出配置部分の前壁から後方への寸法である前後幅をＬ２とし、それ以外の部分の前壁から後方への寸法である前後幅をＬ３とすると、Ｌ１＜Ｌ２＜Ｌ３に構成される。タンク２の底面６は、球を矢印Ｘ１で示す方向たる左から右に向けて流下させるというように、球を球入口７に向けて流下させる斜面を構成する。そして、前後幅Ｌ１が最も小さな払出配置部分には払出機構３が配置され、前後幅Ｌ２が中間の球検出配置部分には球切検出機構５が配置されているので、前後幅Ｌ３の最も大きな部分の後壁に沿ってタンク２の底面６を流下する球が球切検出機構５の感知レバー１９で球入口７に向けて斜めに誘導されるという利点がある。つまり、タンク２の球を貯蔵する球貯蔵室の前後幅が払出機構３の球入口７に向けて絞られたので、タンク２の底面６を流下する球が多量に球入口７に集中することがなく、タンク２の底面６を流下する球の量が球入口７に向けて徐々に減少し、払出機構３に負担がかかり過ぎることがなく、球詰まりも発生しにくく、払出機構３が球を円滑に払い出すことができるという利点がある。
【０００９】
タンク２の球貯蔵室を上から見た場合に、球貯蔵室の前後幅Ｌ１乃至Ｌ３がＬ１＜Ｌ２＜Ｌ３のように払出機構３の球入口７に向けて階段状に絞られ、前後幅Ｌ１の最も小さな部分には払出機構３が配置され、最も小さな部分よりも大きな前後幅Ｌ２の部分には球切検出機構５が配置されたので、球切検出機構５がタンク２よりも後方に突出しないようにタンク２に取り付けられるか、または、球切検出機構５がタンク２よりも後方に突出する寸法を減少するようにタンク２に取り付けられるという利点がある。また、払出機構３が、球を１個ずつ前後方向に分離するように収容部８に配置された螺旋構造の払出体１１と、払出体１１を駆動するようにタンク２の球貯蔵室の外側で後壁に固定された払出モータ１２とを備えたので、払出モータ１２が前後幅Ｌ１と前後幅Ｌ３との差（Ｌ１−Ｌ３）である部分に配置され、払出モータ１２または筐体１３がタンク２よりも後方に突出しないようにタンク２に取り付けられるか、または、払出モータ１２または筐体１３がタンク２よりも後方に突出する寸法を減少するようにタンク２に取り付けられるという利点がある。
【００１０】
払出機構３は、タンク２の右端部に設けられ、球入口７、収容部８、球出口９、庇１０、払出体１１、払出モータ１２、筐体１３を備える。球入口７は、タンク２の払出配置部分における底面６に上下方向への貫通孔として設けられる。収容部８は、球入口７の周縁部から下方への窪みとして、底面６から下方に突出する。球出口９は、収容部８の前端部における底部に上下方向への貫通孔として形成される。庇１０は、球出口９の真上に位置し、球出口９を塞ぐように、底面６に設けられる。庇１０の上面は、球をタンク２の前壁から球入口７に向けて流下させる斜面を構成する。払出体１１は、収容部８に収容され、払出軸１４および螺旋体１５を備えた螺旋状である。払出軸１４は、前後方向に直線的に延びる丸棒により構成される。螺旋体１５は、払出軸１４の前後方向に延びる軸心と平行な方向に球を１個ずつ分離する間隔で、払出軸１４の外周面から径方向外側に螺旋形状に突出する。払出モータ１２は、筐体１３に収容され、筐体１３は、タンク２の後壁の外面に固定される。払出モータ１２のモータケースは、タンク２または筐体１３に固定される。払出モータ１２の出力軸には、払出体１１が連結される。
【００１１】
そして、払出体１１が払出モータ１２で払出軸１４の周方向で図１のｂ図に矢印Ｗで示す一方向に駆動された場合、払出体１１に対する収容部８の左部分８Ａは、払出体１１が球を収容部８の底部から球入口７の方に押し出す、押出側として構成され（以下、押出側部分８Ａと称する）、払出体１１に対する収容部８の右部分８Ｂは、払出体１１が球を球入口７から収容部８の底部の方に引き込む、引込側として構成される（以下、引込側部分８Ｂと称する）。つまり、押出側部分８Ａでは、球が矢印Ｗで示す方向に駆動された払出体１１によってタンク２から収容部８に引き込まれにくい。引込側部分８Ｂでは、球が矢印Ｗで示す方向に駆動された払出体１１によってタンク２から収容部８に引き込まれやすい。
【００１２】
よって、底面６を矢印Ｘ１で示す方向に流れる球の流下方向に対し、押出側部分８Ａが上流側に配置され、引込側部分８Ｂが下流側に配置されているので、底面６から球を引込側部分８Ｂよりも押出側部分８Ａに優先的に供給し、押出側部分８Ａにおいて払出体１１に取り込まれないで上方に押し出された球を引込側部分８Ｂで払出体１１に取り込むようになり、払出体１１の上で球の攪拌が良好に行われ、収容部８と払出体１１との間の空間への球の取り込みが適切に行われるという利点がある。球切検出機構５の感知レバー１９には、突起３６が球受部３１よりも上方に突出しているので、突起３６がタンク２の底面６から球受部３１の上に到達した球を球受部３１に留め置くことなく球入口７の方に良好に誘導するという利点がある。
【００１３】
上記払出体１１の駆動に伴い、螺旋体１５が収容部８と払出体１１との間の空間に取り込まれた球を１個ずつ分離しながら図１のａ図に矢印Ｘ２で示す後から前の方に誘導し、当該誘導された球が庇１０の下に潜り込み球出口９に到達するのに伴い図１のｃ図に矢印Ｘ３で示すように球出口９からタンク２の下方下部に払い出される。図１のｃ図において、球出口９には、球検出器１６が設けられる。球検出器１６は球出口９から払い出される球を検出した球検出信号を遊技盤の裏面に設けられた主制御装置６７（図９参照）に出力する。
【００１４】
図２を参照し、球切検出機構５について説明する。球切検出機構５は、機構躯体１７、レバー検出器１８、感知レバー１９を備える。機構躯体１７は、支持部２０、軸２１、取付孔２２、取付部２３を備える。支持部２０は、感知レバー１９を前後方向に回転可能に支持するものであって、左右方向に相対峙し、機構躯体１７の上部から前方に突出する。軸２１は、支持部２０の左右に相対峙する面に、同軸状に相対峙するように個別に短円柱に設けられる。取付部２３は、機構躯体１７の下部に、前後方向への貫通孔として設けられる。取付孔２２は、レバー検出器１８を取り付けるものであって、前後方向への貫通孔として、機構躯体１７の上下方向の中間部に設けられる。
【００１５】
レバー検出器１８は、凹部２５、発光部２６、受光部２７、取付足２８を備える。凹部２５は、レバー検出器１８の前面から後側の内部に窪み、前方および上下方向に貫通する溝として構成される。発光部２６は、凹部２５の一側を形成する。受光部２７は、凹部２５の他側を形成する。取付足２８は、レバー検出器１８の後部の四隅から後方に個別に突出した弾性片の先端にフックを備える。
【００１６】
レバー検出器１８は、機構躯体１７に次のように取り付けられる。取付足２８が機構躯体１７の前側から取付孔２２に挿入され、取付足２８のフックが取付孔２２から機構躯体１７の後側に突出して機構躯体１７に係合することによって、レバー検出器１８が機構躯体１７の前面に接触して機構躯体１７に取り付けられる（図３参照）。
【００１７】
図２に戻り、感知レバー１９には、斜片部３０、球受部３１、軸受孔３２、錘収容部３３、空気逃避孔３４、錘３５、突起３６、被検出部３７が設けられる。斜片部３０は、感知レバー１９の上部から後上方に突出する。球受部３１は、感知レバー１９の下部から前下方に突出する。軸受孔３２は、左右方向への貫通孔として、斜片部３０の上部に設けられる。錘収容部３３は、軸受孔３２よりも後方に位置し、錘３５を収容する左に開口した凹部として、斜片部３０の上部に設けられる。空気逃避孔３４は、左右方向への貫通孔として、錘収容部３３の右壁に設けられる。錘３５は、錘収容部３３に押し込まれて装着される。錘３５は、１個の球により構成される。錘３５が錘収容部３３に押し込まれる場合、錘収容部３３の内部から空気が空気逃避孔３４を経由して外部に逃げるので、錘３５が錘収容部３３に容易に押し込まれる。突起３６は、感知レバー１９の下部の前面から前側および球受部３１の上面から上方に突出する。被検出部３７は、感知レバー１９の後面から後方に突出する。
【００１８】
感知レバー１９は、機構躯体１７に次のように取り付けられる。球受部３１が下方に向けられ、錘収容部３３が上方に向けられ、被検出部３７が後側に向けられ、軸受孔３２が左右に相対峙する支持部２０の間の隙間に挿入され、軸２１と軸受孔３２とが互いに嵌め合わされる。これによって、感知レバー１９が、軸２１を中心として前後方向に回転し得るように、機構躯体１７に取り付けられる（図３参照）。
【００１９】
図３を参照し、球切検出機構５がタンク２に取り付けられる構造について説明する。タンク２には、検出収容部３９、検出逃避部４０、取付部４１が設けられる。検出収容部３９は、タンク２の球切検出機構配置部における後壁４２に、後壁４２の上面から下方内部に窪み、上方と前後方向とに貫通する溝として構成される。検出逃避部４０は、検出収容部３９の下辺部に、検出収容部３９の下辺部の上面から下方内部に窪み、上方と前後方向とに貫通する溝として構成される。取付部４１は、タンク２の後壁４２に、後方に突出する筒状に設けられる。
【００２０】
機構躯体１７は、タンク２に次のように取り付けられる。球受部３１が後壁４２よりも球貯蔵室の側に位置し、機構躯体１７が後壁４２よりも後側に配置され、相対峙する支持部２０が検出収容部３９に配置され、被検出部３７が検出逃避部４０に配置される。その後、タッピングスクリューのような止ねじ４３が、機構躯体１７の後方から取付部２３を経由して取付部４１に締結され、機構躯体１７がタンク２に固定される。これによって、球切検出機構５がタンク２に取り付けられる（図４および図５参照）。
【００２１】
図５に示すように、球切検出機構５がタンク２に取り付けられた場合、検出収容部３９に配置された支持部２０と後壁４２とが左右方向に対向する間隔Ｌ４は、軸２１と軸受孔３２とが左右方向に嵌り合う寸法Ｌ５よりも小さく設定される（Ｌ４＜Ｌ５）。よって、感知レバー１９のレバー検出器１８（図３参照）に対する動作方向（最良の形態の場合、前後方向である）と直交する方向（最良の形態の場合、左右方向）から外力が感知レバー１９に作用し、支持部２０が感知レバー１９で外側に押し広げられた場合でも、支持部２０が後壁４２で受け止められ、軸２１と軸受孔３２との嵌め合いが解除されることなく適切に保持され、感知レバー１９が支持部２０から脱落することがなく支持部２０に適切に支持されるという利点がある。
【００２２】
図６および図７を参照し、タンク２に取り付けられた球切検出機構５の動作について説明する。図６において、レバー検出器１８に電力が供給され、球からの力が感知レバー１９に作用していない場合、錘収容部３３が錘３５の重さによって軸２１を中心として後側下方に回転して機構躯体１７の上部に接触して受け止められ、感知レバー１９と斜片部３０および球受部３１が錘３５の重さによって軸２１を中心として前側上方に回転して後壁４２から前側に離れ、被検出部３７がレバー検出器１８の検出光Ｌから前側に離れる方向に移動する。これによって、レバー検出器１８は球の貯蔵量が減少した信号としての例えば球切信号を払出発射制御装置６８（図９参照）に出力し、払出発射制御装置６８が球の払出を停止するような遊技中断処理を実行しかつ遊技店の営業を管理する図外のホールコンピュータに球切信号を出力し、ホールコンピュータが補給機構を制御し、補給機構が例えば５００個などの規定数の球をタンク２に供給する。
【００２３】
図７において、レバー検出器１８に電力が供給され、球から錘３５の重さよりも大きい力が球受部３１に上から下向きに作用した場合、錘収容部３３が錘３５の重さよりも大きい力によって軸２１を中心として前側上方に回転して機構躯体１７の上面から上方に離れ、感知レバー１９と斜片部３０および球受部３１が錘３５の重さよりも大きい力によって軸２１を中心として後側下方に回転し、球受部３１がタンク２の底面６または後壁４２に接触し、被検出部３７がレバー検出器１８の検出光Ｌを遮断し、球の貯蔵量が例えば球切れ以上となる。これによって、レバー検出器１８が球切信号を払出発射制御装置６８に出しなくなり、払出発射制御装置６８が球の払出を停止するような遊技中断処理を実行せずかつ遊技店の営業を管理する図外のホールコンピュータに何の信号も出力しない。
【００２４】
図８を参照し、前記球払出装置１を搭載したパチンコ遊技機について説明する。パチンコ遊技機は、遊技機枠５１の内部に図外の遊技盤を交換可能に取り付ける形態である。遊技機枠５１は、固定枠５２の前部に可動枠５３を開閉可能に備え、可動枠５３の前部に前扉５４および皿構造体５５を開閉可能に備える。固定枠５２は、遊技機設置設備に固定される。遊技機設置設備は、パチンコ遊技機を設置する遊技店の島と呼ばれる設備である。可動枠５３は、左側に位置するヒンジ５６を中心とし、固定枠５２の前で前方に開かれかつ後方に閉じられるように、片開き可能である。可動枠５３には、図外の施錠装置、図外の遊技盤を交換可能に取り付けるための機構、図外の球発射機構、球払出装置１が設けられる。前扉５４および皿構造体５５は、個別に、左側に位置する図外のヒンジを中心とし、可動枠５３の前で前方に開かれかつ後方に閉じられるように、片開き可能である。
【００２５】
前扉５４には、窓５７および前面パネル５８が設けられる。窓５７は、前後方向への貫通孔として構成される。前面パネル５８は、窓５７を後から塞ぐ大きさのガラスまたは合成樹脂からなる光透過性の有る無色な板状に構成される。皿構造体５５は、前扉５４よりも下部に配置される。皿構造体５５の前部には、受皿５９、球発射操作機構６０が設けられる。受皿５９は、供給口６１、払出口６２、図外の抜取機構を備える。
【００２６】
図８において、可動枠５３が閉じられて固定枠５２に開閉不能に支持され、前扉５４および皿構造体５５が閉じられて可動枠５３に開閉不能に支持され、遊技者が受皿５９にパチンコ球と呼ばれる球を入れて球発射操作機構６０を右回りに操作すると、球発射機構が受皿５９から供給口６１を経由して球発射機構に取り込まれた球を球発射操作機構６０の操作量に応じた発射力で１個ずつ遊技盤の前面に向けて発射する。遊技盤の前面に到達した球が、遊技盤の前面を流下する過程において、遊技盤の前面の入賞部品に入賞すると、球払出装置１の払出機構３が賞球としての球を遊技者に払い出すべく払出口６２から受皿５９に払い出す。
【００２７】
図９において、球払出装置１の払出機構３の球出口９は、払出通路６４によって払出口６２に接続される。球払出装置１の抜取機構４の図外の球出口には、抜取通路６５が接続される。可動枠５３における遊技盤を装着する部材には、遊技盤の後部品を逃げるための逃避孔６６が設けられる。遊技盤の後面には、主制御装置６７が設けられる。可動枠５３における遊技盤を装着する部材の後面には、払出発射制御装置６８および電源装置６９が設けられ、可動枠５３における遊技盤を装着する部材の前面には、発射機構７０が設けられる。
【００２８】
電源装置６９が遊技機設置構造体に設けられる図外の島電源装置に接続された状態において、図外の電源スイッチが遊技店の店員によって投入されると、電源装置６９が島電源装置から供給される２４ボルトの交流電源をパチンコ機に使用する電圧の直流電源に変換し、この変換した直流電源と変換しない２４ボルトの交流電源とを電源装置６９が主制御装置６７、払出発射制御装置６８、図外の統括制御装置、図外の図柄制御装置、図外の表示制御装置、図外の音制御装置に配電する。
【産業上の利用可能性】
【００２９】
図１０は、発明を実施するための異なる形態に係る球払出装置１の平面を示す。図１０に示すように、タンク２の球貯蔵室における前後幅Ｌ１の後壁と前後幅Ｌ３の後壁とを斜壁４４で結んでもよい。斜壁４４は、実線で示すような直線状の他に、仮想線Ｌ６で示すような球貯蔵室の側に凸になる弧状、または、仮想線Ｌ７で示すような後側に凸になる弧状であってもよい。この場合、図示しないが、図１のａ図の球切検出機構５を除去するかまたは前後幅Ｌ２の前壁に設けてもよい。上記のように球切検出機構５をタンク２から除去する場合、当該球切検出機構５がタンク２の周りの部分に設けられるかまたは遊技機設置構造体に設けられればよい。
【００３０】
図１において、球出口９が収容部８の後端部における底部に上下方向への貫通孔として形成され、払出体１１の螺旋体１５が球を１個ずつ分離しながら前から後方に誘導するようにしてもよい。この場合、払出体１１の回転方向は、図１のｂ図に示すＷ方向と逆向きになる方向である。球出口９は、左右に分かれることなく、互いに左右で連接された１つの孔として構成されてもよい。
【００３１】
図１において、払出機構３がタンク２の左端部に設けられ、タンク２の底面６が球を右から左に向けて流下させるというように、球を球入口７に向けて流下させる斜面を構成してもよい。この場合においても、払出体１１の螺旋体１５が球を１個ずつ分離しながら前から後方に誘導するようにしてもよい。
【００３２】
図８において、遊技機はパチンコ遊技機に限定されるものではなくスロットマシンでもよい。つまり、遊技盤を図柄表示器に置換し、球発射操作機構６０を球取込操作機構に置換し、球発射機構を球取込機構に置換し、遊技開始操作機構および図柄停止操作機構を可動枠５３の前部に設ければ、球払出装置１はスロットマシンにも適用できる。
【００３３】
図９において、払出発射制御装置６８が払出機構３を制御する発射機構７０を制御する払出制御装置と発射制御装置とに分別構成されてもよい。このように払出制御装置と発射制御装置とが互いに異なる構造体として構成された場合、レバー検出器１８が球切信号を払出制御装置と発射制御装置との双方に出力してもよいが、払出制御装置に出力することなく、発射制御装置に出力するようにしてもよい。
【図面の簡単な説明】
【００３４】
【図１】ａ図は遊技機の球払出装置の平面図、ｂ図はａ図のＡ−Ａ線断面図、ｃ図はａ図のＢ−Ｂ線断面図（最良の形態）。
【図２】球切検出機構の分解斜視図（最良の形態）。
【図３】タンクと球切検出機構との分解斜視図（最良の形態）。
【図４】球切検出機構の取り付けられたタンクの斜視図（最良の形態）。
【図５】タンクにおける球切検出機構の周りの平面図（最良の形態）。
【図６】球が作用していない球切検出機構の側面図（最良の形態）。
【図７】球が作用した球切検出機構の側面図（最良の形態）。
【図８】球払出装置を搭載したパチンコ遊技機の斜視図（最良の形態）。
【図９】球払出装置を搭載したパチンコ遊技機の背面図（最良の形態）。
【図１０】遊技機の球払出装置の平面図（異なる形態）
【図１１】遊技機の球払出装置の平面図（従来）
【符号の説明】
【００３５】
１は球払出装置、２はタンク、３は払出機構、４は抜取機構、５は球切検出機構、６は底面、７は球入口、８は収容部、９は球出口、１０は庇、１１は払出体、１２は払出モータ、１３は筐体、１４は払出軸、１５は螺旋体、１６は球検出器、１７は機構躯体、１８はレバー検出器、１９は感知レバー、２０は支持部、２１は軸、２２は取付孔、２３は取付部、２４は欠番、２５は凹部、２６は発光部、２７は受光部、２８は取付足、２９は欠番、３０は斜片部、３１は球受部、３２は軸受孔、３３は錘収容部、３４は空気逃避孔、３５は錘、３６は突起、３７は被検出部、３８は欠番、３９は検出収容部、４０は検出逃避部、４１は取付部、４２は後壁、４３は止ねじ、４４は斜壁、４５乃至５０は欠番、５１は遊技機枠、５２は固定枠、５３は可動枠、５４は前扉、５５は皿構造体、５６はヒンジ、５７は窓、５８は前面パネル、５９は受皿、６０は球発射操作機構、６１は供給口、６２は払出口、６３は欠番、６４は払出通路、６５は抜取通路、６６は逃避孔、６７は主制御装置、６８は払出発射制御装置、６９は電源装置、７０は発射機構。
【図１】
2008200094.tif 000003
【図２】
2008200094.tif 000004
【図３】
2008200094.tif 000005
【図４】
2008200094.tif 000006
【図５】
2008200094.tif 000007
【図６】
2008200094.tif 000008
【図７】
2008200094.tif 000009
【図８】
2008200094.tif 000010
【図９】
2008200094.tif 000011
【図１０】
2008200094.tif 000012
【図１１】
2008200094.tif 000013